(57)【要約】【課題】表示部に表示されたカーソルをユーザが操作する際の操作性の向上を図ることが可能な再生装置を提供する。【解決手段】ＤＶＤプレーヤ（再生装置）は、表示部に表示されたカーソルをユーザが操作するための操作部２１ａを有するジョグダイヤル２１と、操作部２１ａの回転を検出するためのロータリエンコーダ２２と、操作部２１ａの移動および傾斜を検出するためのスイッチ２３ａおよび２３ｂとを備えている。そして、操作部２１ａは、軸部２１ｂを中心として回転可能に設けられている。また、操作部２１ａは、Ｙ方向に移動可能で、かつ、Ｒ２方向およびＲ３方向に傾斜可能に設けられている。【選択図】図４
2009129468.tif 000002
【特許請求の範囲】
【請求項１】
表示部に表示されたカーソルをユーザが操作するための操作部材を備えた再生装置において、
前記操作部材の動作を検出するための第１検出部および第２検出部をさらに備え、
前記操作部材は、前記ユーザが操作する操作部と、前記操作部に所定の方向に延びるように形成された軸部とを含み、
前記操作部材の操作部は、前記軸部を中心として回転可能に設けられるとともに、前記所定の方向と直交する方向に移動可能に設けられ、かつ、前記所定の方向に対して傾斜可能に設けられ、
前記第１検出部は、前記操作部の回転を検出するように構成され、
前記第２検出部は、前記操作部の移動および傾斜を検出するように構成されていることを特徴とする再生装置。
【請求項２】
請求項１に記載の再生装置において、
記録媒体を収納するための収納部材をさらに備え、
前記操作部材は、前記収納部材に設けられていることを特徴とする再生装置。
【請求項３】
請求項１または請求項２に記載の再生装置において、
前記第２検出部は、第１スイッチと、第２スイッチとを含み、
前記第１スイッチおよび前記第２スイッチは、前記操作部が移動した場合に、前記第１スイッチおよび前記第２スイッチの両方がオン状態になるように構成されるとともに、前記操作部が傾斜した場合に、前記第１スイッチおよび前記第２スイッチの一方がオン状態になるように構成されていることを特徴とする再生装置。
【請求項４】
請求項１ないし請求項３のいずれかに記載の再生装置において、
前記表示部の表示の拡大、および、前記表示部の表示の縮小の少なくともいずれか一方を行うための圧力センサをさらに備えることを特徴とする再生装置。
【発明の詳細な説明】
【技術分野】
【０００１】
本発明は、操作部材を備えた再生装置に関するものである。
【背景技術】
【０００２】
従来、ユーザによって操作される操作部材を備えた再生装置が知られている（たとえば、特許文献１および２参照）。
【０００３】
上記特許文献１および２には、ユーザがスクラッチを行うための円盤状の操作ダイヤル（操作部材）を備えた光ディスク再生装置が開示されている。なお、スクラッチとは、操作ダイヤルの回転方向および回転量に応じて、光ディスクの読み出すデータのアドレスを調整することをいう。すなわち、この光ディスク再生装置では、ユーザが操作ダイヤルを用いてスクラッチを行うことにより、同じ部分の反復再生などを行うことが可能である。
【０００４】
【特許文献１】特開２００４−３９１２１号公報
【特許文献２】特開２００６−４０４７１号公報
【発明の開示】
【発明が解決しようとする課題】
【０００５】
ここで、上記特許文献１および２には、ユーザがスクラッチを行うための操作ダイヤルを備えた光ディスク再生装置が開示されているが、表示部に表示されたカーソルをユーザが操作するための操作部材については開示されていない。
【０００６】
また、上記特許文献１および２の操作ダイヤルを、表示部に表示されたカーソルをユーザが操作するための操作部材に適用した場合には、操作ダイヤルの回転方向および回転量に応じて、カーソルを移動させることが考えられる。しかしながら、この場合には、カーソルを一方向にしか移動させることができないので、表示部に表示されたカーソルをユーザが操作する際の操作性の向上を図ることが困難であるという問題点がある。
【０００７】
本発明は、上述した課題を解決するものであって、その目的とするところは、表示部に表示されたカーソルをユーザが操作する際の操作性の向上を図ることが可能な再生装置を提供することである。
【課題を解決するための手段】
【０００８】
本発明の再生装置は、表示部に表示されたカーソルをユーザが操作するための操作部材を備えた再生装置において、操作部材の動作を検出するための第１検出部および第２検出部をさらに備え、操作部材は、ユーザが操作する操作部と、操作部に所定の方向に延びるように形成された軸部とを含み、操作部材の操作部は、軸部を中心として回転可能に設けられるとともに、所定の方向と直交する方向に移動可能に設けられ、かつ、所定の方向に対して傾斜可能に設けられ、第１検出部は、操作部の回転を検出するように構成され、第２検出部は、操作部の移動および傾斜を検出するように構成されている。なお、所定の方向と直交する方向とは、所定の方向と実質的に直交する方向を含む。
【０００９】
このように構成することによって、たとえば、第１検出部が操作部の回転を検出した際に、表示部に表示されたカーソルを左右方向に移動させるとともに、第２検出部が操作部の傾斜を検出した際に、表示部に表示されたカーソルを上下方向に移動させれば、カーソルを一方向にしか移動させることができない再生装置に比べて、カーソルをユーザが操作する際の操作性の向上を図ることができる。また、第２検出部が操作部の移動を検出した際に、カーソルが選択している項目に決定すれば、選択した項目を決定するボタンを別途設ける場合に比べて、部品点数が増加するのを抑制することができる。
【００１０】
上記再生装置において、記録媒体を収納するための収納部材をさらに備え、操作部材は、収納部材に設けられていてもよい。
【００１１】
このように構成することによって、ユーザは、記録媒体を収納部材に収納することと、表示部に表示されたカーソルを操作することとを連続的に行うことができる。このため、再生装置の操作性の向上を図ることができる。
【００１２】
上記再生装置において、第２検出部は、第１スイッチと、第２スイッチとを含み、第１スイッチおよび第２スイッチは、操作部が移動した場合に、第１スイッチおよび第２スイッチの両方がオン状態になるように構成されるとともに、操作部が傾斜した場合に、第１スイッチおよび第２スイッチの一方がオン状態になるように構成されていてもよい。
【００１３】
このように構成することによって、第１スイッチおよび第２スイッチにより、容易に、操作部の移動および傾斜を区別して検出することができる。
【００１４】
上記再生装置において、表示部の表示の拡大、および、表示部の表示の縮小の少なくともいずれか一方を行うための圧力センサをさらに備えていてもよい。
【００１５】
このように構成することによって、ユーザは、圧力センサを用いて表示部の表示の拡大または縮小を行うことができるので、表示部に表示されたカーソルの操作を行いやすくなる。これにより、カーソルをユーザが操作する際の操作性の向上をより図ることができる。
【発明の効果】
【００１６】
本発明によれば、表示部に表示されたカーソルをユーザが操作する際の操作性の向上を図ることが可能な再生装置を提供することができる。
【発明を実施するための最良の形態】
【００１７】
以下、本発明の実施形態につき、図面を参照しながら説明する。なお、本実施形態では、再生装置の一例であるＤＶＤプレーヤに本発明を適用した場合について説明する。
【００１８】
図１は、本発明の一実施形態によるＤＶＤプレーヤの全体構成を示した斜視図である。図２は、表示装置の表示部を示した図である。図３は、図１に示したＤＶＤプレーヤの構成を示したブロック図であり、図４は、図１の５００−５００線に沿った断面図である。まず、図１〜図４を参照して、本実施形態によるＤＶＤプレーヤ１００の構成について説明する。
【００１９】
本発明の一実施形態によるＤＶＤプレーヤ１００は、図１に示すように、装置本体１０と、装置本体１０にＤＶＤ（図示せず）を収納するためのディスクトレイ２０とを備えている。なお、ディスクトレイ２０は、本発明の「収納部材」の一例であり、ＤＶＤは、本発明の「記録媒体」の一例である。このＤＶＤプレーヤ１００には、表示部２０１が設けられた表示装置２００が接続されている。また、ＤＶＤプレーヤ１００は、ＤＶＤに記録されたコンテンツを表示装置２００に出力することにより、ＤＶＤに記録されたコンテンツを表示部２０１に表示させる機能を有する。
【００２０】
また、ＤＶＤプレーヤ１００は、ＤＶＤに記録されたコンテンツの一覧を表示部２０１に表示させるとともに、表示されたコンテンツの一覧から表示装置２００に出力するコンテンツを選択する機能を有する。具体的には、ＤＶＤプレーヤ１００（図１参照）は、図２に示すように、ＤＶＤに記録されたコンテンツに対応するアイコンを表示部２０１に表示させるように構成されている。
【００２１】
装置本体１０の上面には、図１に示すように、表示部２０１の表示を拡大するための圧力センサ１１ａと、表示部２０１の表示を縮小するための圧力センサ１１ｂとが設けられている。この圧力センサ１１ａおよび１１ｂは、静電容量型の圧力センサまたはピエゾ抵抗型の圧力センサなどからなる。
【００２２】
また、装置本体１０の内部には、図３に示すように、光ピックアップ１２と、トレイ駆動部１３と、検出部１４と、出力部１５と、制御部１６とが設けられている。
【００２３】
光ピックアップ１２は、ＤＶＤに記録されたコンテンツを読み出すために設けられている。トレイ駆動部１３は、ディスクトレイ２０をＹ方向（図１参照）に駆動するために設けられている。これにより、ディスクトレイ２０は、装置本体１０の内部に収納可能で、かつ、装置本体１０の外部に突出可能に設けられている。検出部１４は、ディスクトレイ２０が装置本体１０の内部に収納された際に、ＤＶＤがディスクトレイ２０に載置されているか否かを検出するために設けられている。出力部１５は、ＤＶＤに記録されたコンテンツなどの信号を表示装置２００に出力するために設けられている。制御部１６は、ＤＶＤプレーヤ１００の動作を制御するために設けられている。
【００２４】
ディスクトレイ２０の上面には、図１に示すように、ＤＶＤを載置するための載置部２０ａが形成されている。また、ディスクトレイ２０は、図３に示すように、ジョグダイヤル２１と、ロータリエンコーダ２２と、スイッチ２３ａおよび２３ｂとを含んでいる。なお、ジョグダイヤル２１は、本発明の「操作部材」の一例であり、ロータリエンコーダ２２は、本発明の「第１検出部」の一例である。また、スイッチ２３ａは、本発明の「第２検出部」および「第２スイッチ」の一例であり、スイッチ２３ｂは、本発明の「第２検出部」および「第１スイッチ」の一例である。
【００２５】
ジョグダイヤル２１は、ユーザが、表示部２０１に表示されたカーソルＣ（図２参照）を操作するとともに、表示部２０１に再生されているコンテンツの早送りおよび巻戻しなどを行うために設けられている。また、ジョグダイヤル２１は、図４に示すように、円柱状に形成された操作部２１ａと、Ｚ方向に延びるように形成された軸部２１ｂと、軸部２１ｂの両端に設けられた軸受部２１ｃと、圧縮コイルばね２１ｄとを有する。なお、Ｚ方向は、本発明の「所定の方向」の一例である。操作部２１ａは、軸部２１ｂを中心として回転可能に設けられている。具体的には、操作部２１ａは、Ｒ１方向（図１参照）およびＲ１方向と反対方向に回転可能に設けられている。また、操作部２１ａは、ディスクトレイ２０の前面２０ｂに形成された開口部２０ｃから外部に一部が露出するように設けられている。
【００２６】
軸部２１ｂは、操作部２１ａと一体的に設けられており、操作部２１ａおよび軸部２１ｂは、Ｙ方向に移動可能に設けられるとともに、Ｚ方向に対して傾斜可能に設けられている。圧縮コイルばね２１ｄは、軸部２１ｂをＹ方向において前面２０ｂ側に付勢している。これにより、ジョグダイヤル２１は、操作部２１ａがスイッチ２３ａおよび２３ｂと離間するように設けられている。
【００２７】
ロータリエンコーダ２２は、操作部２１ａの回転方向および回転量を検出するとともに、その検出結果を制御部１６（図３参照）に出力するために設けられている。また、ロータリエンコーダ２２は、ジョグダイヤル２１の軸部２１ｂに設けられている。
【００２８】
スイッチ２３ａおよび２３ｂは、操作部２１ａの移動および傾斜を検出するとともに、その検出結果を制御部１６に出力するために設けられている。具体的には、スイッチ２３ａおよび２３ｂは、操作部２１ａがＹ方向に移動した場合に、スイッチ２３ａおよび２３ｂの両方が押される（オン状態になる）ように構成されている。また、スイッチ２３ａおよび２３ｂは、操作部２１ａがＲ２方向に傾斜した場合に、スイッチ２３ｂのみが押されるように構成されている。また、スイッチ２３ａおよび２３ｂは、操作部２１ａがＲ３方向に傾斜した場合に、スイッチ２３ａのみが押されるように構成されている。
【００２９】
表示装置２００は、図３に示すように、液晶ディスプレイなどからなる表示部２０１と、ＤＶＤプレーヤ１００からの出力が入力される入力部２０２と、表示装置２００の動作を制御する制御部２０３とを有する。
【００３０】
図５は、本発明の一実施形態によるＤＶＤプレーヤの動作を説明するためのフローチャートである。図６〜図８は、表示装置の表示部を示した図である。次に、図１〜図８を参照して、本実施形態によるＤＶＤプレーヤ１００の動作について説明する。なお、このフローチャートでは、ＤＶＤプレーヤ１００の動作のうち、ＤＶＤに記録されたコンテンツの中から再生するコンテンツを選択する動作について説明する。
【００３１】
まず、ＤＶＤプレーヤ１００（図３参照）は、図５のステップＳ１において、ＤＶＤが装置本体１０（図３参照）に収納されたか否かを判断する。具体的には、制御部１６（図３参照）により、検出部１４（図３参照）の検出結果に基づいて、装置本体１０にＤＶＤが収納されたか否かを判断する。そして、制御部１６により、装置本体１０にＤＶＤが収納されたと判断した場合には、ステップＳ２に移る。その一方、制御部１６により、装置本体１０にＤＶＤが収納されていないと判断した場合には、ステップＳ１を繰り返し行う。
【００３２】
次に、ステップＳ２において、制御部１６により、光ピックアップ１２（図３参照）を用いてＤＶＤの読み込みを行う。その後、ステップＳ３において、制御部１６により、出力部１５（図３参照）を用いて、ＤＶＤに記録されたコンテンツに対応するアイコンを選択するための画像（以下、「コンテンツ選択画像」という）を出力する。これにより、表示部２０１には、図２に示すようなコンテンツ選択画像が表示される。
【００３３】
次に、ステップＳ４において、制御部１６により、ロータリエンコーダ２２（図３参照）の出力結果に基づいて、ジョグダイヤル２１の操作部２１ａ（図４参照）が回転したか否かを判断する。そして、制御部１６により、操作部２１ａが回転したと判断した場合には、ステップＳ５において、制御部１６により、操作部２１ａの回転方向および回転量に応じてカーソルＣ（図２参照）を移動し、ステップＳ６に移る。具体的には、操作部２１ａがＲ１方向（図１参照）に所定量回転した場合に、図２のように「アイコン１」を選択しているカーソルＣが、図６のように「アイコン４」を選択するように右方向に移動する。また、操作部２１ａがＲ１方向と反対方向に回転した場合には、カーソルＣが左方向に移動する。なお、カーソルＣの移動量は、操作部２１ａの回転量に基づいて決定される。その一方、図５のステップＳ４において、制御部１６により、操作部２１ａが回転していないと判断した場合には、ステップＳ６に移る。
【００３４】
次に、ステップＳ６において、制御部１６により、スイッチ２３ａおよび２３ｂ（図３参照）の出力結果に基づいて、操作部２１ａが傾斜したか否かを判断する。そして、制御部１６により、操作部２１ａが傾斜したと判断した場合には、ステップＳ７において、制御部１６により、操作部２１ａの傾斜方向に応じてカーソルＣを移動し、ステップＳ８に移る。具体的には、操作部２１ａが図４のＺ方向に対してＲ２方向に傾斜することにより、スイッチ２３ｂのみが押された場合に、図２のように「アイコン１」を選択しているカーソルＣが、図７のように「アイコン２」を選択するように下方向に移動する。また、操作部２１ａがＺ方向に対してＲ３方向に傾斜することにより、スイッチ２３ａのみが押された場合には、カーソルＣが上方向に移動する。その一方、図５のステップＳ６において、制御部１６により、操作部２１ａが傾斜していないと判断した場合には、ステップＳ８に移る。
【００３５】
次に、ステップＳ８において、制御部１６により、圧力センサ１１ａまたは１１ｂ（図３参照）が圧力を検出したか否かを判断する。そして、制御部１６により、圧力センサ１１ａまたは１１ｂが圧力を検出したと判断した場合には、ステップＳ９において、制御部１６により、表示部２０１の表示を拡大または縮小して、ステップＳ１０に移る。具体的には、圧力センサ１１ａが圧力を検出した場合に、図２のように「アイコン１」から「アイコン９」までが表示された状態が、図８のように選択された「アイコン１」の近傍のみが表示された状態に拡大される。また、圧力センサ１１ｂが圧力を検出した場合に、表示部２０１の表示が縮小される。その一方、ステップＳ８において、制御部１６により、圧力センサ１１ａまたは１１ｂが圧力を検出していないと判断した場合には、ステップＳ１０に移る。
【００３６】
次に、ステップＳ１０において、制御部１６により、スイッチ２３ａおよび２３ｂの出力結果に基づいて、操作部２１ａが移動したか否かを判断する。そして、制御部１６により、操作部２１ａが移動したと判断した場合には、ステップＳ１１において、制御部１６により、再生するコンテンツをカーソルＣが選択しているアイコンと対応するコンテンツに決定し、ステップＳ１２に移る。具体的には、図４において、操作部２１ａが圧縮コイルばね２１ｄの付勢力に抗してＹ方向に移動することにより、スイッチ２３ａおよび２３ｂの両方が押された場合に、再生するコンテンツの決定が行われる。その一方、図５のステップＳ１０において、制御部１６により、操作部２１ａが移動していないと判断した場合には、ステップＳ４に戻る。
【００３７】
次に、ステップＳ１２において、制御部１６により、コンテンツ選択画像の出力を終了する。その後、ステップＳ１３において、制御部１６により、出力部１５を用いて、決定されたコンテンツを表示装置２００に出力する。
【００３８】
本実施形態では、上記のように、Ｒ１方向およびＲ１方向と反対方向に回転可能で、かつ、Ｒ２方向およびＲ３方向に傾斜可能な操作部２１ａを有するジョグダイヤル２１と、操作部２１ａの回転を検出するロータリエンコーダ２２と、操作部２１ａの傾斜を検出するスイッチ２３ａおよび２３ｂとを設けることによって、ユーザが操作部２１ａを回転させることにより、表示部２０１に表示されたカーソルＣを左右方向に移動させることができることに加えて、ユーザが操作部２１ａを傾斜させることにより、表示部２０１に表示されたカーソルＣを上下方向に移動させることができる。これにより、本実施形態によるＤＶＤプレーヤ１００では、カーソルを一方向にしか移動させることができない再生装置に比べて、表示部２０１に表示されたカーソルＣをユーザが操作する際の操作性を向上させることができる。また、操作部２１ａを操作する方向とカーソルＣの動く方向とが対応しているので、ユーザが直感的にカーソルＣの操作を行うことができる。
【００３９】
また、本実施形態では、操作部２１ａをＹ方向に移動可能に構成するとともに、スイッチ２３ａおよび２３ｂを操作部２１ａの移動を検出可能に構成することによって、ユーザが操作部２１ａを移動させることにより、カーソルＣが選択している項目に決定することができるので、選択した項目を決定するボタンを別途設ける場合に比べて、部品点数が増加するのを抑制することができる。
【００４０】
また、本実施形態では、操作部２１ａを有するジョグダイヤル２１と、ロータリエンコーダ２２と、スイッチ２３ａおよび２３ｂとをディスクトレイ２０に設けることによって、ユーザは、ＤＶＤをディスクトレイ２０に載置することと、ＤＶＤに記録されたコンテンツの中から再生するコンテンツを選択および決定することとを連続的に行うことができる。このため、ＤＶＤプレーヤ１００の操作性を向上させることができる。
【００４１】
また、本実施形態では、スイッチ２３ａおよび２３ｂを、操作部２１ａがＹ方向に移動した場合には、スイッチ２３ａおよび２３ｂの両方が押されるとともに、操作部２１ａがＲ２方向（Ｒ３方向）に傾斜した場合には、スイッチ２３ｂ（２３ａ）のみが押されるように構成することによって、容易に、操作部２１ａの移動および傾斜を区別して検出することができる。
【００４２】
また、本実施形態では、表示部２０１の表示を拡大するための圧力センサ１１ａと、表示部２０１の表示を縮小するための圧力センサ１１ｂとを設けることによって、ユーザは、表示部２０１の表示の拡大および縮小を行うことができるので、表示部２０１に表示されたカーソルＣの操作を行いやすくなる。これにより、表示部２０１に表示されたカーソルＣをユーザが操作する際の操作性をより向上させることができる。
【００４３】
本発明は、上述した以外にも種々の実施形態を採用することができる。例えば、上記実施形態では、再生装置の一例としてＤＶＤプレーヤ１００を示したが、ＣＤプレーヤなどのその他の再生装置に本発明を適用してもよい。
【００４４】
また、上記実施形態では、Ｒ１方向（図１参照）およびＲ１方向と反対方向に回転可能なジョグダイヤル２１を設ける例を示したが、図９に示した本実施形態の第１変形例によるＤＶＤプレーヤ１００ａのように、Ｒ４方向およびＲ４方向と反対方向に回転可能なジョグダイヤル２４を設けてもよい。なお、ジョグダイヤル２４は、回転方向以外は上記ジョグダイヤル２１と略同様に構成されている。この場合、ユーザは、ジョグダイヤル２４を回転させることにより、表示部のカーソルを上下方向に移動させることが可能であるとともに、ジョグダイヤル２４を傾斜させることにより、表示部のカーソルを左右方向に移動させることが可能である。なお、ジョグダイヤル２４は、本発明の「操作部材」の一例である。
【００４５】
また、上記実施形態では、ＤＶＤプレーヤ１００に、表示部２０１が設けられた表示装置２００を接続する例を示したが、図１０に示した本実施形態の第２変形例によるＤＶＤプレーヤ１００ｂのように、装置本体１０に表示部１７を設けてもよい。
【００４６】
また、上記実施形態では、ジョグダイヤル２１、ロータリエンコーダ２２、スイッチ２３ａおよび２３ｂをディスクトレイ２０に設ける例を示したが、ジョグダイヤル２１、ロータリエンコーダ２２、スイッチ２３ａおよび２３ｂを装置本体１０の側面などに設けてもよい。
【００４７】
また、上記実施形態では、圧縮コイルばね２１ｄにより軸部２１ｂを付勢する例を示したが、圧縮コイルばね２１ｄにより軸受部２１ｃを付勢してもよい。
【００４８】
また、上記実施形態では、圧縮コイルばね２１ｄを設ける例を示したが、圧縮コイルばね２１ｄの代わりに板ばねなどのその他の付勢部材を設けてもよい。
【００４９】
また、上記実施形態において、ＤＶＤプレーヤ１００がＤＶＤに対してコンテンツを記録する機能を有していてもよい。
【図面の簡単な説明】
【００５０】
【図１】本発明の一実施形態によるＤＶＤプレーヤの全体構成を示した斜視図である。
【図２】表示装置の表示部を示した図である。
【図３】図１に示したＤＶＤプレーヤの構成を示したブロック図である。
【図４】図１の５００−５００線に沿った断面図である。
【図５】本発明の一実施形態によるＤＶＤプレーヤの動作を説明するためのフローチャートである。
【図６】表示装置の表示部を示した図である。
【図７】表示装置の表示部を示した図である。
【図８】表示装置の表示部を示した図である。
【図９】本発明の一実施形態の第１変形例によるＤＶＤプレーヤの全体構成を示した斜視図である。
【図１０】本発明の一実施形態の第２変形例によるＤＶＤプレーヤの全体構成を示した斜視図である。
【符号の説明】
【００５１】
１１ａ、１１ｂ  圧力センサ
１７、２０１    表示部
２０            ディスクトレイ（収納部材）
２１、２４      ジョグダイヤル（操作部材）
２１ａ          操作部
２１ｂ          軸部
２２            ロータリエンコーダ（第１検出部）
２３ａ          スイッチ（第２検出部、第２スイッチ）
２３ｂ          スイッチ（第２検出部、第１スイッチ）
１００、１００ａ、１００ｂ  ＤＶＤプレーヤ（再生装置）
【図１】
2009129468.tif 000003
【図２】
2009129468.tif 000004
【図３】
2009129468.tif 000005
【図４】
2009129468.tif 000006
【図５】
2009129468.tif 000007
【図６】
2009129468.tif 000008
【図７】
2009129468.tif 000009
【図８】
2009129468.tif 000010
【図９】
2009129468.tif 000011
【図１０】
2009129468.tif 000012